(57)【要約】【課題】設定操作画面等をデュアルビュー表示させることで、画面の視認性，操作性を向上させた操作パネルの表示装置、及び、当該操作パネルの表示装置を備えた画像形成装置を提供すること。【解決手段】デュアルビュー表示制御部１１４ｂは、認証処理が成功した場合に、表示モードをシングルビュー表示モードからデュアルビュー表示モードに切り替え、デュアルビュー表示モードによって、第１の操作画面及び第２の操作画面を液晶パネル１１１に同時表示できるように、液晶表示コントローラ１１５に指示をする。【選択図】図４
2008256910.tif 000002
【特許請求の範囲】
【請求項１】
操作情報、設定情報等を入力する操作パネルの表示装置であって、
前記表示装置は、第１及び第２の視野角方向に対しそれぞれ個別の画像を同時に表示可能なデュアルビュー液晶表示装置であり、初期画面及び操作情報の入力画面を前記両視野角方向に共通に表示し、
認証手段による認証に基づいて設定操作画面に移行し、第１の操作画面と第２の操作画面をそれぞれ前記第１の視野角方向、第２の視野角方向に対応させて表示することを特徴とする操作パネルの表示装置。
【請求項２】
前記第１の操作画面に設定情報の入力画面を表示し、前記第２の操作画面に前記初期画面を表示することを特徴とする請求項１に記載の操作パネルの表示装置。
【請求項３】
前記第２の操作画面に前記第１の操作画面から入力された設定情報による設定結果に関連する情報を表示することを特徴とする請求項１に記載の操作パネルの表示装置。
【請求項４】
前記第１の操作画面を表示する視野角は、前記第２の操作画面を表示する視野角より小さいことを特徴とする請求項２又は３に記載の操作パネルの表示装置。
【請求項５】
設定操作の解除により前記初期画面を表示することを特徴とする請求項１〜４のいずれかに記載の操作パネルの表示装置。
【請求項６】
前記視野角方向に傾動可能であることを特徴とする請求項１〜５のいずれかに記載の操作パネルの表示装置。
【請求項７】
請求項１〜６のいずれかに記載の操作パネルの表示装置を備えた画像形成装置。
【発明の詳細な説明】
【技術分野】
【０００１】
本発明は、操作パネルの表示装置、特に、デュアルビュー表示が可能な液晶タッチパネルを備えた操作パネルの表示装置、及び、当該操作パネルの表示装置を備えた画像形成装置に関する。
【背景技術】
【０００２】
デュアルビュー表示が可能な液晶パネル（以下、デュアルビュー液晶と記す）は、例えば、表示画面に対して左側の視野角方向から視聴する視聴者のみが視認できる画像と、同左側の視野角方向から視聴する視聴者のみが視聴できる画像を一表示画面に、同時に表示することができる（特許文献１参照）。
【０００３】
また、画像形成装置の表示部の表示領域を複数の領域に分割して、当該分割した表示領域に、各種パラメータの設定操作画面を表示させることにより、パラメータ設定時の操作性の向上を図った画像形成装置が特許文献２に開示されている。
【０００４】
ここで、特許文献１に開示されたデュアルビュー表示の原理について図９を用いて説明する。
視野バリア１０１は、不透明領域（黒色部）で隔たれた透明スリットを多数有するフィルタであり、液晶パネル１０２を透過したバックライト（図示しない）からの光線を左右に分離する。
【０００５】
図からも明らかなように、液晶パネル１０２の画素ｘを透過した光線は、視野バリア１０１の透明スリットを透過して液晶パネル１０２の表示面に対して図で右側の第１の視野角方向に位置する視聴者Ｘに到達する。同様に、液晶パネルの画素ｙを透過した光線は、視野バリア１０１の透明スリットを透過して液晶パネル１０２の表示面に対して図で左側の第２の視野角方向に位置する視聴者Ｙに到達する。
【０００６】
そして、視野バリア１０１の透明スリットの幅や間隔に応じて、１画素ごと又は複数の画素ごとに、異なる画像データを液晶パネル１０２に出力すれば、視野バリア１０１により異なる画像をそれぞれ分離して表示することができる。
【特許文献１】特開２００５−７８０７６号公報
【特許文献２】特開２００５−１１１８２８号公報
【発明の開示】
【発明が解決しようとする課題】
【０００７】
しかし、特許文献２に開示されたように、表示領域を分割した画面を、画像形成装置の表示部に表示した場合、設定操作画面の表示面積が小さくなるため、設定操作画面全体の視認性、設定操作画面に表示されるアイコンの操作性が低下するという問題があった。
【０００８】
例えば、図１０に示したように、液晶パネル（表示画面）１１１を２つの表示領域に分割し、分割した１つの表示領域に設定操作画面１２１を表示し、分割した他の表示領域に前記設定操作画面を介して設定した設定データを確認するための確認画面１２２を表示させた場合には、前記設定操作画面１２１が小さくなるため、当該設定操作画面１２１のアイコンの視認性及び操作性が低下する。そして、前記確認画面１２２についても同様に視認性が低下する。
【０００９】
また、画面を分割せずに、設定操作画面と確認画面とを切り替えることにより、確認画面を表示させて新たに設定した設定データを確認することもできるが、設定変更に伴う設定データの変化の様子をリアルタイムで確認することができないため、設定作業が効率的に行えない。しかも、設定変更のたびに、画面を切り替える必要があるため、設定作業に余計な操作が必要となり、設定作業の効率が低下してしまう。
【００１０】
本発明は、かかる実情に鑑みてなされたものであり、設定操作画面等をデュアルビュー表示させることで、画面の視認性，操作性を向上させた操作パネルの表示装置、及び、当該操作パネルの表示装置を備えた画像形成装置を提供することを目的とする。
【課題を解決するための手段】
【００１１】
第１の技術手段は、操作情報、設定情報等を入力する操作パネルの表示装置であって、前記表示装置は、第１及び第２の視野角方向に対しそれぞれ個別の画像を同時に表示可能なデュアルビュー液晶表示装置であり、初期画面及び操作情報の入力画面を前記両視野角方向に共通に表示し、認証手段による認証に基づいて設定操作画面に移行し、第１の操作画面と第２の操作画面をそれぞれ前記第１の視野角方向、第２の視野角方向に対応させて表示することを特徴とする操作パネルの表示装置である。
【００１２】
第２の技術手段は、第１の技術手段において、前記第１の操作画面に設定情報の入力画面を表示し、前記第２の操作画面に前記初期画面を表示することを特徴とする。
【００１３】
第３の技術手段は、第１の技術手段において、前記第２の操作画面に前記第１の操作画面から入力された設定情報による設定結果に関連する情報を表示することを特徴とする。
【００１４】
第４の技術手段は、第２又は第３の技術手段において、前記第１の操作画面を表示する視野角は、前記第２の操作画面を表示する視野角より小さいことを特徴とする。
【００１５】
第５の技術手段は、第１〜第４のいずれかの技術手段において、設定操作の解除により前記初期画面を表示することを特徴とする。
【００１６】
第６の技術手段は、第１〜第５のいずれかの技術手段の操作パネルの表示装置は、前記視野角方向に傾動可能である。
【００１７】
第７の技術手段は、第１〜第６のいずれかの技術手段の操作パネルの表示装置を備えたことを特徴とする画像形成装置である。
【発明の効果】
【００１８】
本発明により、表示領域を狭めることなく２つの設定操作画面を同時に表示することができるので、各種機能設定時の視認性、及び、操作性を向上させることができる。
【発明を実施するための最良の形態】
【００１９】
図１は、例えばテンキー等の操作に係る操作情報，印刷枚数の設定等に係る設定情報の入力を行う操作パネルの表示装置が搭載される装置、例えば、画像形成装置の外観図であり、画像形成装置１は、複写装置，ファクシミリ装置，プリンタ装置，スキャナ装置等、いずれか２以上の機能を有し、画像形成装置１の起動時又は起動後に一般利用者のために表示される初期画面，前記操作情報及び設定情報の入力画面や各種パラメータを設定するための設定操作画面等を表示する表示装置１１及びテンキー等から構成される操作キー１２等を有する操作パネル１３を備えている。
【００２０】
なお、表示装置１１は、符号Ｒに示す表示装置１１の表示部に対して第１の視野角方向（右側）に対し、及び、符号Ｌに示す表示装置１１の表示部に対して第２の視野角方向（左側）に対し、それぞれ個別の画像を同時に表示可能なデュアルビュー液晶表示装置である。
【００２１】
図２は、操作パネル１３の外観図であり、５１は表示装置１１の表示部１１ａに表示される前記初期画面、１２ａは画像形成装置１を操作するためのテンキーである。
【００２２】
なお、操作キー１２は、操作パネル１３の必須構成要素ではなく、操作キー１２を備えない操作パネルであってもよい。
【００２３】
前述した表示装置１１は、シングルビュー表示モードとデュアルビュー表示モードとを切り替え可能なデュアルビュー液晶表示装置であり、図示例では、シングルビュー表示モードによって初期画面５１が表示されている。
【００２４】
ここで、シングルビュー表示モードとは、表示部１１ａに対して左右上下等の全視野角方向に同一画像を共通に表示する表示モードを意味する。
【００２５】
また、デュアルビュー表示モードとは、表示部１１ａに対して第１の視野角方向（図１の符号Ｒを参照）及び第２の視野角方向（図１の符号Ｌを参照）にそれぞれ個別の画像を同時に表示可能な表示モードを意味する。なお、図１では、第１の視野角方向は表示装置１１の表示部１１ａに対して右側を示し、第２の視野角方向は同表示部１１ａに対して左側を示しているが、各方向がそれぞれ同上側及び同下側であってもよい。
【００２６】
本発明では、後述するように、認証手段による認証に基づいて、表示モードをシングルビュー表示モードからデュアルビュー表示モードに切り替え、各種パラメータの設定操作画面を表示装置１１の表示部１１ａに表示する。
【００２７】
図３は、画像形成装置１のブロック構成図の一例である。
図３に示したように、画像形成装置１は、通信ネットワークを介して外部装置と接続される。図示例では、画像形成装置１は、ＬＡＮ２又はインターネット４を介してＰＣ等の情報処理装置３と、インターネット４を介してファクシミリ装置５と、電話回線網６を介してファクシミリ装置５と接続され、各装置間で、画像データ等の各種データの送受信が可能となっている。
【００２８】
画像形成装置１は、表示装置１１とテンキー等から構成される操作キー１２を備えた操作パネル１３、原稿を読み取る原稿読取部１４、原稿読取部１４にて読み取った原稿を印刷する画像形成部１５、各種データを記録する、ＨＤＤ（Ｈａｒｄ  Ｄｉｓｋ  Ｄｒｉｖｅ）１６、ファクシミリ装置５との通信処理を行うＦＡＸモデム１７、情報処理装置３，ファクシミリ装置５との通信処理を行うＮＩＣ（Ｎｅｔｗｏｒｋ  Ｉｎｔｅｒｆａｃｅ  Ｃａｒｄ）１８、各機能ブロックを制御する装置制御部１９等から構成される。
【００２９】
原稿読取部１４は、プラテンガラス（図示しない）に載せられた原稿、または、自動原稿送り装置（図示しない）を用いて搬送される原稿を画像データとして取り込むためのＣＣＤ１４ａや前記自動原稿送り装置にセットされた原稿を検知する原稿検知センサ１４ｂ等を備え、読み取った原稿から原稿画像データを生成し、画像形成部１５に出力する。
【００３０】
画像形成部１５は、原稿読取部１４が出力した原稿画像データをメモリ１５ａに一時的に記憶し、記憶した原稿画像データを印字部（ＬＳＵ）１５ｂにて印刷する。なお、メモリ１５ａに一時的に記憶した原稿画像データを圧縮してＨＤＤ１６に記録し、当該記録した原稿画像データを伸張して、メモリ１５ａに戻し、印字部１５ｂにて印刷してもよい。
【００３１】
ＨＤＤ１６は、各種データ、例えば、前述した初期画面５１等のＯＳＤデータ、原稿読取部１４で読み取った原稿画像データや情報処理装置３，ファクシミリ装置５から受信したデータを記録する。
【００３２】
ＦＡＸモデム１７は、電話回線網６に対してのインターフェイス機能を提供し、ファクシミリ装置５との通信処理を行う。
ＮＩＣ１８は、ＬＡＮ２に対してのインターフェイス機能を提供し、情報処理装置３，ファクシミリ装置５との通信処理を行う。
装置制御部１９は、装置全体の制御を行う。
【００３３】
図４は、操作パネル１３のブロック構成図の一例であり、操作パネル１３は、前述の表示装置１１及び操作キー１２から構成されている。
１１１は液晶パネルである。液晶パネル１１１は、前述した視野バリア（図示しない）を備えたデュアルビュー画面を表示可能な液晶パネルである。同パネル１１１は、図示しない２つの基板の間に注入されている異方性誘電率を有する液晶層を有し、その液晶層に印加される電界の強さに応じてバックライト（図示しない）からの光の量を調整し画像を表示させる。
【００３４】
液晶パネル１１１にデュアルビュー表示を行なわせるためには、例えば、図９で説明したように、液晶パネル１１１の各画素を、液晶パネル１１１の表示面に対して第１の視野角方向に画像を表示できるように及び同表示面に対して第２の視野角方向に画像を表示できるように駆動すればよく、その手法は、既に提案されている様々な手法を採用することができる。
【００３５】
なお、液晶パネル１１１にシングルビュー表示を行なわせるためには、例えば図９の画素ｘと画素ｙとが同じ画素値になるように、各画素を駆動すればよく、その手法は、既に提案されている様々な手法を採用することができる。
【００３６】
１１２はタッチパネルである。タッチパネル１１２は、液晶パネル１１１の全面に設けられ、利用者が同パネル１１２に指等の導電体を接触させると、同パネル１１２内において静電容量結合が起こり、電流が流れ、タッチ位置検出部１１３は、当該電流を測定することにより、利用者がタッチパネル１１２上にタッチした位置の座標値（タッチ座標値）を算出し、表示装置制御部１１４へ出力する。表示装置制御部１１４は、入力されたタッチ座標値により、利用者がタッチした位置を認識することができる。なお、液晶パネル１１１及びタッチパネル１１２から表示装置１１の表示部１１ａ（図２参照）が構成される。
【００３７】
表示装置制御部１１４は、ＯＳＤデータ出力部１１６Ｒが出力した、第１の視野角方向に表示するＯＳＤデータと、ＨＤＤ１６に記録されている、第１の視野角方向に表示するＯＳＤのアイコンに係る表示情報や動作情報を含むアイコンデータとを重畳し、重畳したＯＳＤデータを液晶表示コントローラ１１５に出力する。なお、表示情報とは、当該アイコンの表示位置，形状等の情報、また、動作情報とは、当該アイコンの操作により実行される動作内容（印刷枚数の設定、印刷処理の実行）の情報を意味する。
【００３８】
同様に、表示装置制御部１１４は、ＯＳＤデータ出力部１１６Ｌが出力した、第２の視野角方向に表示するＯＳＤデータと、ＨＤＤ１６に記録されている、第２の視野角方向に表示するＯＳＤのアイコンに係る表示情報や動作情報を含むアイコンデータとを重畳し、重畳したＯＳＤデータを液晶表示コントローラ１１５に出力する。
なお、表示装置制御部１１４の認証部１１４ａ及びデュアルビュー表示制御部１１４ｂについては後述する。
【００３９】
液晶表示コントローラ１１５は、表示装置制御部１１４が出力した第１の視野角方向に表示するＯＳＤデータと第２の視野角方向に表示するＯＳＤデータとが、デュアルビュー表示されるように、所定の処理を各ＯＳＤデータに施して、液晶パネル１１１に出力し、同パネル１１１の各画素を駆動する。この際、液晶表示コントローラ１１５は、液晶パネル１１１の表示動作を制御するために必要な制御信号も合わせて出力する。
なお、液晶表示コントローラ１１５は、ＯＳＤデータをシングルビュー表示できるように、液晶パネル１１１の各画素を駆動することができる。
【００４０】
ＯＳＤデータ出力部１１６Ｒは、第１の視野角方向に表示するＯＳＤデータをＨＤＤ１６から取り込み表示装置制御部１１４に出力する。
ＯＳＤデータ出力部１１６Ｌは、第２の視野角方向に表示するＯＳＤデータをＨＤＤ１６から取り込み表示装置制御部１１４に出力する。
【００４１】
ここで、認証部１１４ａ及びデュアルビュー表示制御部１１４ｂについて説明する。
認証部１１４ａは、パスワード認証，生体認証等様々な認証方法により認証処理を実行する認証手段であり、認証結果をデュアルビュー表示制御部１１４ｂに出力する。
【００４２】
デュアルビュー表示制御部１１４ｂは、認証処理が成功した場合に、表示モードをシングルビュー表示モードからデュアルビュー表示モードに切り替え、デュアルビュー表示モードによって、第１の操作画面を液晶パネル１１１に対して第１の視野角方向に、及び、第２の操作画面を液晶パネル１１１に対して第２の視野角方向に同パネル１１１に同時表示できるように、液晶表示コントローラ１１５に指示をする。
【００４３】
当該指示を受けた液晶表示コントローラ１１５は、表示モードをシングルビュー表示モードからデュアルビュー表示モードに切り替え、デュアルビュー表示モードによって、後述するように、第１の操作画面として、設定操作画面（設定情報の入力画面）、例えば、パラメータの設定操作画面を液晶パネル１１１に表示することができる。そして、第２の操作画面として、例えば、図２の符号５１に示した初期画面を同パネル１１１に表示することができる。
【００４４】
また、第１の操作画面として、前記設定操作画面を表示し、第２の操作画面として、前記設定操作画面から入力されたパラメータ等の設定情報による設定結果に関連する情報（パラメータ設定を反映した情報）を確認するための確認画面を表示することもできる。
【００４５】
さらに、デュアルビュー表示モードによる各種設定処理が終了したら、すなわち、設定操作の解除により、デュアルビュー表示モードからシングルビュー表示モードに切り替え、前記初期画面を表示することもできる。
【００４６】
ここで、図５を用いてシングルビュー表示モードにより表示された初期画面から設定操作画面に至る画面遷移の一例を説明し、図６を用いてデュアルビュー表示モードにより表示された設定操作画面の画面遷移の一例を説明する。
【００４７】
画像形成装置１の設定処理を行う権限を有するサービスマンが、図５Ａ（ａ）に示す、表示装置１１の液晶パネル１１１に表示された初期画面５１の特別機能アイコン５１ａを押すと、図５Ａ（ｂ）に示すユーザ設定操作画面５２が同パネル１１１に表示される。
なお、この表示モードは、シングルビュー表示モードであり、サービスマンは、シングルビュー表示モードによって表示される画面を見るため表示装置１１の正面に位置しているものとする。
【００４８】
サービスマンが、ユーザ設定操作画面５２のサービスプログラムアイコン５２ａを押すと、図５Ｂ（ｃ）に示す、ユーザ認証を行うためのサービスコード入力画面５３が液晶パネル１１１に表示される。
なお、サービスコード入力画面５３は、「サービスプログラム」に係る処理では、画像形成装置１の各種設定処理を行うので、一般利用者による誤設定を防止するためのユーザ認証をするための画面である。
【００４９】
そして、サービスマンが、サービスコード入力画面５３のサービスコード入力ボックス５３ａにテンキー１２ａ等を介して、図５Ｂ（ｄ）に示すように、サービスコードを入力し、入力したサービスコードが正しい場合（ユーザ認証が成功）、後述の図６に示すように、表示モードをシングルビュー表示モードからデュアルビュー表示モードに切り替え、デュアルビュー表示モードによって、第１の操作画面及び第２の操作画面を表示する。
【００５０】
なお、表示モード切り替えの際には、利用者（サービスマン）に対して、デュアルビュー表示される画面を見ることができる位置、すなわち、第１の視野角方向又は第２の視野角方向に移動するように案内する案内画面を表示することが好ましい。なお、本実施例では、第１の視野角方向（右側）に移動するように案内するものとする。
【００５１】
図６は、デュアルビュー表示モードによる表示された画面がサービスマンの操作により遷移する様子を説明するための図である。
【００５２】
図５で説明したように、表示モードがシングルビュー表示モードからデュアルビュー表示モードに切り替わると、デュアルビュー表示モードによって、第１の操作画面、及び、第２の操作画面を同時に表示する。
【００５３】
例えば、図６（ａ）に示すように、図５Ｂ（ｄ）で説明したユーザ認証処理が終了すると、サービスマン等の利用者に表示するシュミレーションコード入力画面５４（第１の操作画面）、及び、一般利用者に表示する初期画面５１（第２の操作画面）を液晶パネル１１１に同時表示する。
【００５４】
そして、画像形成装置１の表示装置１１に対して正面に位置していたサービスマンは、前記案内画面の指示に従って、同表示装置１１の液晶パネル１１１に対して右側（第１の視野角方向）に移動して、シュミレーションコード入力画面５４のシュミレーションコード入力ボックス５４ａに、シュミレーションコード、例えば２９−０１を入力する。
【００５５】
すると、図６（ｂ）に示すように、第１の操作画面として、例えばカラーバランス設定操作画面５５、第２の操作画面として、カラーバランス設定操作画面５５を介して設定したカラーバランスを確認するカラーバランス確認画面５６を液晶パネル１１１に同時表示する。
【００５６】
つまり、第１の視野角方向に表示される設定操作画面（第１の操作画面）、及び、当該設定操作画面から入力された設定情報による設定結果に関連する情報を表示する確認画面（第２の操作画面）を同時にデュアルビュー表示させることができる。
なお、サービスマンが当該確認画面（第２の操作画面）を見るためには、第２の視野角方向に移動すればよい。
【００５７】
このようにすることで、視認性，操作性を低下させることなく、サービスマンは、第１の視野角方向に表示された設定操作画面にて各種設定処理をしながら、当該設定処理により設定した設定情報による設定結果に関連する情報を確認画面にてリアルタイムで確認することができる。
【００５８】
また、同様に、サービスマンが設定操作画面にて各種設定処理をしながら、確認画面を一般利用者に見せることもできるので、設定操作時における利便性が向上する。
【００５９】
図７は、図５及び図６に示したように、操作画面をデュアルビュー表示する処理を説明するためのフロー図である。
図５Ａ（ａ）の初期画面５１が表示されている状態から（ステップＳ１）、図５で説明したように、サービスコードの入力によるユーザ認証を行うと（ステップＳ２）、認証部１１４ａが入力されたサービスコードと画像形成装置１のＨＤＤ１６に記録されている認証用サービスコードが一致するか否かを判定、すなわち、ユーザ認証が成功したか否かを判定する（ステップＳ３）。
【００６０】
ユーザ認証が成功した場合には（ステップＳ３／ＹＥＳ）、デュアルビュー表示制御部１１４ｂは、表示モードをシングルビュー表示モードからデュアルビュー表示モードに切り替え、デュアルビュー表示モードによって、第１の操作画面及び第２の操作画面を液晶パネル１１１に同時に表示するように、液晶表示コントローラ１１５に指示する（ステップＳ４）。
【００６１】
デュアルビュー表示制御部１１４ｂからの指示を受けた液晶表示コントローラ１１５は、表示モードをシングルビュー表示モードからデュアルビュー表示モードに切り替え、例えば、図６で示した、第１の操作画面及び第２の操作画面を表示するように液晶パネル１１１の各画素を駆動する（ステップＳ５）。
【００６２】
サービスマンが、各種設定処理を終了させると（ステップＳ６／ＹＥＳ）、デュアルビュー表示制御部１１４ｂは、デュアルビュー表示モードからシングルビュー表示モードに切り替えて、シングルビュー表示モードによって液晶パネル１１１上に初期画面５１を表示するように、液晶表示コントローラ１１５に指示する（ステップＳ７）。
【００６３】
当該指示を受けた液晶表示コントローラ１１５は、初期画面５１をシングルビュー表示できるように液晶パネル１１１の各画素を駆動し、初期画面５１を表示する（ステップＳ８）。
【００６４】
なお、ユーザ認証が失敗した場合には（ステップＳ３／ＮＯ）、初期画面５１を再表示する（ステップＳ９）。
【００６５】
また、図８に示すように、液晶パネル１１１の傾きを、視野角方向に変化させることもできる。図８は表示装置１１及び液晶パネル１１１の断面図である。
利用者は、図８（ａ）〜図８（ｃ）で示したように液晶パネル１１１の傾きを変えることで最適な角度に視野角を調整できるので、液晶パネル１１１の視認性がより向上する。
【００６６】
さらに、第１の操作画面を表示する視野角（第１の視野角方向）を、第２の操作画面を表示する視野角（第２の視野角方向）より小さくすることもできる。例えば、サービスマンが第２の視野角方向にいる顧客に説明しながら設定作業を行う場合に、顧客側の視野角を大きくして顧客に設定結果の画面を見やすくする場合などに好適である。
【００６７】
なお、本実施例では、第１の視野角方向に第１の操作画面を表示したが、第１の視野角方向に第２の操作画面を表示してもよく、逆もまた同様である。
【図面の簡単な説明】
【００６８】
【図１】画像形成装置の外観図である。
【図２】操作パネルの外観図である。
【図３】画像形成装置のブロック構成図の一例である。
【図４】操作パネルのブロック構成図の一例である。
【図５Ａ】シングルビュー表示モードにより表示された設定操作画面の画面遷移の一例を説明するための第１の図である。
【図５Ｂ】シングルビュー表示モードにより表示された設定操作画面の画面遷移の一例を説明するための第２の図である。
【図６】デュアルビュー表示モードにより表示された設定操作画面の画面遷移の一例を説明するための図である。
【図７】表示モードを切り替える処理を説明するためのフロー図である。
【図８】液晶パネルの傾きの変化の様子を説明するための図である。
【図９】デュアルビュー表示の原理について説明するための図である。
【図１０】表示領域を分割して設定操作画面を表示した例を説明するための図である。
【符号の説明】
【００６９】
１…画像形成装置、２…ＬＡＮ、３…情報処理装置、４…インターネット、５…ファクシミリ装置、６…電話回線網、１１…表示装置、１２…操作キー、１３…操作パネル、１４…原稿読取部、１５…画像形成部、１６…ＨＤＤ、１７…ＦＡＸモデム、１８…ＮＩＣ、１９…装置制御部、１０１…視野バリア、１０２…液晶パネル、１１１…液晶パネル、１１２…タッチパネル、１１３…タッチ位置検出部、１１４…表示装置制御部、１１４ａ…認証部、１１４ｂ…デュアルビュー表示制御部、１１５…液晶表示コントローラ、１１６Ｒ，１１６Ｌ…ＯＳＤデータ出力部、５１…初期画面、５２…ユーザ設定操作画面、５３…サービスコード入力画面、５４…シュミレーションコード入力画面、５５…カラーバランス設定操作画面、５６…カラーバランス確認画面。
【図１】
2008256910.tif 000003
【図２】
2008256910.tif 000004
【図３】
2008256910.tif 000005
【図４】
2008256910.tif 000006
【図５Ａ】
2008256910.tif 000007
【図５Ｂ】
2008256910.tif 000008
【図６】
2008256910.tif 000009
【図７】
2008256910.tif 000010
【図８】
2008256910.tif 000011
【図９】
2008256910.tif 000012
【図１０】
2008256910.tif 000013